(57)【要約】【課題】遮熱部を器体に設けながらも、器体において遮熱部を支持する部位と灯体との干渉が避けられる照明器具を提供する。【解決手段】天井面に対して固定される器体２と、光源Ｌａを保持して器体２に対して回転可能に支持される灯体１と、光源Ｌａへの給電用の給電線Ｃが接続される端子台３とを備える。器体２は、灯体１を囲む円筒形状の枠体２１と、灯体１の上側に位置して光源Ｌａからの輻射熱を遮る遮熱部２６ｄと、端子台３を保持して支持部２６ｂとともに遮熱部２６ｄを支持する端子台保持部２６ｃとを有する。支持部２６ｂと端子保持部２６ｃとがそれぞれ枠体２１の径方向の外側に突出している。これにより、灯体１における器体２に対する回転軸Ｏよりも上側の部位が退避できる空間が形成され、灯体１と器体２との干渉が避けられ、器体２に対する灯体１の可動範囲θが確保されている。【選択図】図１
2009230916.tif 000002
【特許請求の範囲】
【請求項１】
電気的な光源を保持する灯体と、
天井面に埋込配設され灯体を天井面に交差する面内で回転可能に支持する器体と、
器体に保持されて光源への給電用の給電線が接続される端子台とを備え、
器体は、灯体を天井面の下方に露出させる露出穴を有して灯体を囲む環形状であって灯体を支持する枠部と、枠部に連結されて端子台を保持する端子台保持部と、端子台保持部に支持されて灯体の上側に位置する遮熱部とを有し、
端子台保持部は、灯体において器体に対する回転軸よりも上側の部位を避けるように、下方から見て少なくとも一部が枠部の外側に突出していることを特徴とする照明器具。
【発明の詳細な説明】
【技術分野】
【０００１】
本発明は、天井面に埋込配設される照明器具に関するものである。
【背景技術】
【０００２】
従来から、天井面に埋込配設される照明器具が提供されている（例えば、特許文献１参照）。
【０００３】
この種の照明器具として、例えば図９及び図１０に示すように、電球型の電気的な光源Ｌａが電気的且つ機械的に接続されるソケット１１を有する灯体１と、天井材ＣＥに貫設された埋込穴ＣＥ１に埋込配設され灯体１を天井面に交差する面内で回転可能に保持する器体２と、器体２に保持されて光源への給電用の給電線（図示せず）が接続される端子台３とを備えるものがある。器体２は、軸方向を上下方向に向けた円筒形状であって灯体１を囲む枠体２１と、枠体２１の上側に跨る下向きコ字形状であって端子台３を保持した端子台保持板２６とを有する。端子台保持板２６には、灯体１の上側に位置して光源Ｌａやソケット１１から上方への輻射熱を遮る遮熱部２６ｄが設けられている。上記のような構造では、灯体１が天井材ＣＥに対して直接固定される構造に比べ、灯体１を器体２に対して回転させることで光源Ｌａの光の照射方向の変更が可能であるという利点に加え、外周面を構成し人の手が触れる可能性の高い器体２が光源Ｌａから離れているために高温になりにくく安全性が高いという利点もある。
【０００４】
しかし、上記の照明器具では、必要な埋込穴ＣＥ１の径Ｒｈを小さくして施工面積を小さくするために枠体２１の径を小さくすると、図１１に示すように端子台保持板２６の幅が小さくなる。すると、灯体１において器体２に対する回転軸Ｏよりも上側の部位が端子台保持板２６において器体２と遮熱部２６ｄとを連結する部位に当接（干渉）するまでの可動範囲θが小さくなってしまう。
【０００５】
そこで、必要な埋込穴ＣＥ１の径Ｒｈを小さくしても器体２の上記部位との干渉が発生しないように、図１２及び図１３に示すように、端子台保持板２６ｄを枠体２１の径方向の外側に突出する形状とするとともに、遮熱部２６ｄは灯体１に設けることが提案されている。この構成を採用すれば、端子台保持板２６において器体２と遮熱部２６ｄとを連結する部位自体が存在しないことになるから、上記のような干渉は発生せず、器体２に対する灯体１の可動範囲を、必要な埋込穴ＣＥ１の径Ｒｈの割に大きくすることができる。
【特許文献１】特開平１０−１９９３２６号公報
【発明の開示】
【発明が解決しようとする課題】
【０００６】
しかし、図１２及び図１３の例では、遮熱部２６ｄが灯体１とともに回転するから、灯体１の向きによらず遮熱部２６ｄを常に灯体１の上側に位置させるためには遮熱部２６ｄを大きくする必要があるため、施工性が低くなるとともに製造コストが高くなっていた。
【０００７】
本発明は、上記事由に鑑みて為されたものであり、その目的は、遮熱部を器体に設けながらも、器体において遮熱部を支持する部位と灯体との干渉が避けられる照明器具を提供することにある。
【課題を解決するための手段】
【０００８】
本発明は、電気的な光源を保持する灯体と、天井面に埋込配設され灯体を天井面に交差する面内で回転可能に支持する器体と、器体に保持されて光源への給電用の給電線が接続される端子台とを備え、器体は、灯体を天井面の下方に露出させる露出穴を有して灯体を囲む環形状であって灯体を支持する枠部と、枠部に連結されて端子台を保持する端子台保持部と、端子台保持部に支持されて灯体の上側に位置する遮熱部とを有し、端子台保持部は、灯体において器体に対する回転軸よりも上側の部位を避けるように、下方から見て少なくとも一部が枠部の外側に突出していることを特徴とする。
【発明の効果】
【０００９】
本発明によれば、遮熱部を器体に設けたことで、遮熱部を灯体に設ける場合に比べて遮熱部の小型化が可能となる。また、端子台保持部の上記形状により、器体において遮熱部を支持する部位と灯体との干渉が避けられるから、下方から見て端子台保持部の全体が枠部に重なる場合に比べ、必要な埋込穴の寸法の割に灯体の可動範囲を大きくすることができる。
【発明を実施するための最良の形態】
【００１０】
以下、本発明を実施するための最良の形態について、図面を参照しながら説明する。
【００１１】
本実施形態は、図１〜図３に示すように、電気的な光源Ｌａを保持した灯体１と、扁平な天井材ＣＥで構成される天井面に埋込配設され灯体１を天井面に交差する面内で回転可能に軸支する器体２と、光源Ｌａへの給電用の給電線Ｃが電気的且つ機械的に接続される例えば速結端子のような周知の構造を有し器体２に保持された端子台３とを備える。光源Ｌａは具体的には赤外光を透過させ可視光を反射させるダイクロイックミラーが一体化されたハロゲン電球（いわゆるダイクール電球）であって、灯体１を器体２に対して回転させることで、光源Ｌａの光（可視光）の照射方向を変化させることができる。
【００１２】
灯体１は、光源Ｌａの口金が電気的且つ機械的に接続されるソケット１１と、ソケット１１が例えばねじ止めによって固定されるソケット台１２と、ソケット台１２に連結されて光源Ｌａの発光部を囲むセード１３とを備える。また、ソケット１１は、図示しない電線を介して端子台３に電気的に接続され、この電線と端子台３とを介して給電線Ｃに電気的に接続される。このようなソケット１１は周知技術で実現可能であるので、詳細な説明及び図示は省略する。また、ソケット台１２及びセード１３は、それぞれ例えば金属板に打ち抜き加工や曲げ加工や絞り加工といった適宜の加工を施すことによって形成される。
【００１３】
器体２は、灯体１を囲む環形状の枠体２１と、枠体２１の上端面に間に隙間を空けて対向する形で枠体２１に対して固定された保持枠２２と、一部が枠体２１と保持枠２２との間に挟まれることにより枠体２１に対して上下方向から見た面内で回転可能に支持されるとともに灯体１を軸支した回転枠２３と、それぞれ保持枠２２に対して固定されて天井材ＣＥに係止される３個の係止ばね２４，２５と、保持枠２２に対して固定されて端子台３を保持した端子台保持板２６とを備える。器体２を構成する上記の各部品は、それぞれ例えば、金属板に打ち抜き・曲げ・絞り等の適宜の加工が施されてなる。つまり、枠体２１と保持枠２２と回転枠２３とで請求項における枠部が構成されており、枠体２１の下側の開口が、請求項における露出穴である。
【００１４】
枠体２１は、軸方向を上下方向に向けた円筒形状であって灯体１を囲み天井材ＣＥに上下に貫設された埋込穴ＣＥ１に挿通される本体部２１ａと、本体部２１ａの下端部から径方向の外向きに突設された円環形状の鍔部２１ｂとを有する。枠体２１とともに請求項における枠部を構成する保持枠２２と回転枠２３とは、それぞれ下方から見て鍔部２１ｂの外周より径方向の外側には突出しない。
【００１５】
保持枠２２は、上方から見て枠体２１の本体部２１ａに重なる円環形状であって枠体２１との間に回転枠２３を挟む本体部２２ａと、それぞれ本体部２２ａの外周端から下方へ突設されて枠体２１の本体部２１ａの外側に位置する複数個の外側片２２ｂとを有する。保持枠２２は、例えば外側片２２ｂのうちの複数個がそれぞれ枠体２１の本体部２１ａにねじ止めされることによって枠体２１に対して固定される。枠体２１に対する回転枠２３の上下方向への変位は既に述べたように枠体２１と保持枠２２とによって制限され、枠体２１に対する回転枠２３の平行移動であって水平方向（枠体２１の下側の開口面に沿った方向）への平行移動は、外側片２２ｂによって制限される。
【００１６】
また、回転枠２３は、例えば灯体１のセード１３と回転枠２３とにリベットが軸方向を水平方向に向けて挿通されることにより、図４に示すように灯体１を略垂直な面内で所定の回転軸Ｏ（例えば上記リベットの中心軸）周りに回転可能に支持している。器体２に対する灯体１の回転範囲は、図４の破線及び図２に示すようにソケット台１２の下端が保持枠２２の上面に当接して光源Ｌａの光が直下に照射される垂直向きと、図４の実線及び図３に示すように光源Ｌａの光が斜め下方に照射される斜め向きとの間となっている。さらに、回転枠２３を枠体２１に対して水平な面内で回転させることで、水平方向での灯体１の向きの変更が可能となっている。
【００１７】
さらに、回転枠２３において、上方から見て灯体１の回転軸Ｏを挟む両側には、それぞれ２個ずつの保護片２３ａ，２３ｂが上方へ突設されている。各保護片２３ａ，２３ｂは、それぞれ上方へ向かって枠体２１の径方向の内向きに傾斜している。ここで、灯体１のソケット１１やセード１３や光源Ｌａは高温となりやすいが、保持枠２２の上側において、天井材ＣＥの上側に配設される各種のケーブルと光源Ｌａやソケット１１やセード１３との接触は、灯体１のソケット台１２や上記の保護片２３ａ，２３ｂによって防止される。上記の保護片２３ａ，２３ｂと灯体１の各部とは、灯体１が回転枠２３に対して回転したときに互いに接触しないような形状及び配置となっている。
【００１８】
また、端子台保持板２６は、例えば外側片２２ｂへのねじ止めによって保持枠２２に対して固定された固定部２６ａと、固定部２６ａの上端部から上方に突設され上方に向かって枠体２１の径方向の外側に傾斜した支持部２６ｂと、支持部２６ｂの上端から上方に突設され上方に向かって枠体２１の径方向の内側に傾斜して端子台３が固定された端子台保持部２６ｃと、端子台保持部２６ｃの上端から枠体２１の径方向の内側へ突設され厚さ方向を上下方向に向けた遮熱部２６ｄとを有する。端子台３は、端子台保持部２６ｃにおいて斜め上に向けられた面に例えばねじ止めによって固定されており、斜め上方向から給電線Ｃが導入される向きとなっている。遮熱部２６ｄは、上方から見て灯体１を略覆い、光源Ｌａから上方への輻射熱を遮るものである。また、支持部２６ｂと端子台保持部２６ｃとは、それぞれ下方から見て略全体が枠体２１の外周よりも径方向の外側に突出する。
【００１９】
さらに、３個の係止ばね２４，２５は、枠体２１の周方向に並べて略等間隔に設けられており、それぞれ、厚さ方向を枠体２１の径方向へ向けて保持枠２２の外側片２２ｂに固定された固定部２４ａ，２５ａと、固定部２４ａ，２５ａの下端から枠体２１の径方向の外側へ突設された支持部２４ｂ，２５ｂとを備え、固定部２４ａ，２５ａと支持部２４ｂ，２５ｂとがなす角を小さくするように弾性変形可能となっている。係止ばね２４，２５のうち、端子台保持板２６の固定部２６ａを挟む２個の係止ばね２４については、固定部２４ａには、厚さ方向への突出寸法を下方に向かって大きくするように傾斜する形で曲げ起こされた係止片２４ｃが設けられている。これらの係止ばね２４が固定される外側片２２ｂにはそれぞれ上記の固定部２４ａが挿通される挿通部２２ｃがルーバ加工により設けられていて、上記２個の係止ばね２４の固定部２４ａはそれぞれ係止片２４ｃが挿通部２２ｃに係止されることで外側片２２ｂに対して固定されている。また、残り１個の係止ばね２５の固定部２５ａが固定される外側片２２ｂには引掛穴２２ｄが貫設されており、上記係止ばね２５は固定部２５ａが上記の引掛穴２２ｄに挿通されて引っ掛けられることで外側片２２ｂに対して固定されている。さらに、端子台保持板２６の固定部２６ａを挟む上記２個の係止ばね２４において、それぞれ支持部２４ｂの先端には、仮保持凸部２４ｄが下方に突設されている。
【００２０】
本実施形態を天井面に取り付ける際には、まず、図５に示すように、内径が器体２の枠体２１の本体部２１ａの外径よりも大きく鍔部２１ｂの外径よりも小さい円形状の埋込穴ＣＥ１を天井材ＣＥに設け、埋込穴ＣＥ１から引き出された給電線Ｃを端子台３に接続する。次に、図６に示すように端子台保持板２６を埋込穴ＣＥ１内（天井材ＣＥの上側）に導入した後、図５の矢印Ａ１及び図７に示すように端子台保持板２６を挟む２個の係止ばね２４を、支持部２４ｂを固定部２４ａに密着させるように弾性変形させる。すると、各仮保持凸部２４ｄの突出方向は互いに略逆向き且つそれぞれ枠体２１の径方向の外向きとなる。この状態で図５に矢印Ａ２で示すように上記の各係止ばね２４の仮保持凸部２４ｄを天井材ＣＥの上側へ導入してから上記の各係止ばね２４への力を解除すれば、図７に示すように各仮保持凸部２４ｄがそれぞれ天井材ＣＥに係止されることにより仮保持がなされる。上記のように各仮保持凸部２４ｄがそれぞれ天井材ＣＥに係止された状態では、器体２を、天井材ＣＥに対して、下方から見た枠体２１からの端子台保持板２６の突出方向へスライドさせることができる。つまり、端子台保持板２６及び端子台３を埋込穴ＣＥ１に導入した後、各仮保持凸部２４ｄによる仮保持状態のまま器体２をスライドさせることで、端子台３や端子台保持部２６において下方から見て枠体２１の外側に突出する部位を、下方から見て埋込穴ＣＥ１の外側（すなわち天井材ＣＥの上側）へ変位させることができる。その後、残り１個の係止ばね２５を図７の矢印Ａ３で示すように他の係止ばね２４と同様に弾性変形させながら器体３を図７の矢印Ａ４で示すように上方へ変位させると、図８に示すように各係止ばね２４，２５がそれぞれ弾性復帰してそれぞれ天井材ＣＥの上面に係止されるとともに、枠体２１の鍔部２１ｂが天井材ＣＥの下面（すなわち天井面）に当接することで、天井材ＣＥに対する器体２の上下方向への変位は禁止され、ここにおいて埋込配設は完了する。上記のように埋込配設が完了した状態では、枠体２１の本体部２１ａと埋込穴ＣＥ１の内周面との間の隙間は下方から見て枠体２１の鍔部２１ｂに覆われる。
【００２１】
上記構成によれば、器体２において、端子台保持板２６の支持部２６ｂが上方に向かって枠体２１の径方向の外側に傾斜していることで、端子台保持板２６の支持部２６ｂの上側には、図１に示すように灯体１における回転枠２３に対する回転軸Ｏよりも上側の部位が退避できる空間が形成され、灯体１と器体２との干渉が避けられているから、図９〜図１１の従来例のように器体２において遮熱部２６ｄと枠体２１とを連結する部位の全体が枠体２１の上方に存在する場合に比べ、枠体２１の本体部２１ａの径すなわち必要な埋込穴ＣＥ１の径の割に、回転枠２３に対する灯体１の可動範囲が大きくなっている。また、遮熱部２６ｄは灯体１の回転に関わらず常に灯体１の上側に位置するように器体２に対して固定されているから、図１２や図１３の従来例のように遮熱部２６ｄを灯体１に対して固定する場合に比べ、遮熱部２６ｄを小さくし、施工性を向上するとともに製造コストを低減することができる。また、図１２や図１３の例では遮熱部２６ｄは端子台保持板２６とは別途の金属板で構成する必要があるのに対し、本実施形態では遮熱部２６ｄは端子台保持板２６の一部とすることができ、部品点数の減少による製造コストの低減も可能となっている。
【００２２】
ここで、端子台３を回転枠２３や灯体１に対して固定した場合、回転枠２３や灯体１の回転時に給電線Ｃに応力がかかって端子台３との接続に不良が発生する可能性があるという問題があるが、本実施形態では端子台３は端子台保持板２６を介して枠体２１に対して固定されているので、回転枠２３や灯体１の回転に関わらず枠体２１に対して動くことはないから、上記のような問題は発生しない。
【００２３】
また、本実施形態では、端子台３は斜め上方から給電線Ｃを接続されるような向きで保持されているので、端子台３が水平方向から給電線Ｃを接続されるような向きで保持される場合に比べ、器体２を埋込穴ＣＥ１内に導入する際に端子台３に接続された給電線Ｃが邪魔になりにくく、施工性が向上している。
【図面の簡単な説明】
【００２４】
【図１】本発明に実施形態による効果を示す説明図である。
【図２】同上を示す斜視図である。
【図３】同上に給電線が接続された状態を示す斜視図である。
【図４】同上の動作を示す説明図である。
【図５】同上を天井面に取り付ける方法を示す説明図である。
【図６】同上を天井面に取り付ける方法において図５の次の過程を示す説明図である。
【図７】同上を天井面に取り付ける方法において図６の次の過程を示す説明図である。
【図８】同上が天井面に取り付けられた状態を示す説明図である。
【図９】従来例を示す斜視図である。
【図１０】図９の従来例の構造を示す説明図である。
【図１１】図９の従来例の問題点を示す説明図である。
【図１２】別の従来例を示す斜視図である。
【図１３】図１２の従来例の構造を示す説明図である。
【符号の説明】
【００２５】
１  灯体
２  器体
３  端子台
２１  枠体（請求項における枠部）
２６ｂ  支持部
２６ｃ  端子台保持部
２６ｄ  遮熱部
Ｃ  給電線
ＣＥ  天井材
ＣＥ１  埋込穴
Ｌａ  光源
【図１】
2009230916.tif 000003
【図２】
2009230916.tif 000004
【図３】
2009230916.tif 000005
【図４】
2009230916.tif 000006
【図５】
2009230916.tif 000007
【図６】
2009230916.tif 000008
【図７】
2009230916.tif 000009
【図８】
2009230916.tif 000010
【図９】
2009230916.tif 000011
【図１０】
2009230916.tif 000012
【図１１】
2009230916.tif 000013
【図１２】
2009230916.tif 000014
【図１３】
2009230916.tif 000015